(57)【要約】【課題】段取り替えをする事無く、試験車両に対面するいずれの方向からも、鉛直方向を維持したままで擬似荷重を可変して負荷する事が可能な、転角試験装置を提供する。【解決手段】下部テーブルと、該下部テーブルの上部に設けられた傾転台と、該傾転台の上部に設けられた上部テーブルと、該上部テーブルの外縁から離隔して設けられた擬似荷重負荷機構とを備える転角試験装置であって、該下部テーブルと該傾転台と該上部テーブルとは何れも回動可能であり、該擬似荷重負荷機構は擬似荷重負荷の方向を鉛直方向に維持したまま、水平方向に移動可能とした。【選択図】図１
2015017890.tif 000002
【特許請求の範囲】
【請求項１】
下部テーブルと、該下部テーブルの上部に設けられた傾転台と、該傾転台の上部に設けられた上部テーブルと、該上部テーブルの外縁から離隔して設けられた擬似荷重負荷機構とを備える転角試験装置であって、
該下部テーブルと該傾転台と該上部テーブルとは何れも回動可能であり、
該擬似荷重負荷機構は擬似荷重負荷の方向を鉛直方向に維持したまま、水平方向に移動可能にしたことを特徴とする転角試験装置。
【請求項２】
前記擬似荷重負荷機構はＸ軸ステージと、そのＸ軸ステージ上に設けられたＹ軸ステージと、そのＹ軸ステージ上に設けられた減速器付モータと、その減速器付モータの回転軸と試験車両の擬似荷重負荷位置とを接続するケーブルの間にセンサボックスを備えており、
該Ｘ軸ステージと該Ｙ軸ステージとは水平面上を相互に直交する方向へ摺動可能であり、
該減速器付モータは、その減速器付モータの回転軸と上記試験車両の擬似荷重負荷位置とを接続するケーブルに対し、その減速器付モータの回動によりそのケーブルにかかる張力を変動させて上記擬似荷重負荷を生起し変動させ、
上記センサボックスには、傾斜センサとロードセルとが備えられており、
その傾斜センサは、前記上部テーブルの傾斜による、上記減速器付モータの回転軸と上記試験車両の擬似荷重負荷位置とを接続するケーブルの方向の鉛直方向からのずれを計測し、
上記ロードセルは、上記減速器付モータの回動により上記ケーブルにかかる荷重を計測し、
該傾斜センサの計測値に基づいて、上記Ｘ軸ステージと上記Ｙ軸ステージとを摺動させて、上記ケーブルの方向を鉛直方向に制御する請求項１に記載の転角試験装置。
【請求項３】
前記Ｘ軸ステージには距離センサが備えられ、該距離センサを該Ｘ軸ステージの移動と共に移動させて適宜作動させることにより、前記試験車両の前記擬似荷重負荷機構に対する向きと距離とを検出し、その検出結果に基づいて、前記上部テーブルを回動させて該試験車両を該擬似荷重負荷機構に対面させる請求項１又は２に記載の転角試験装置。
【請求項４】
前記試験車両を前記擬似荷重負荷機構に対面させた場合に、前記試験車両と前記擬似荷重負荷機構との前後及び／又は左右の位置ズレを、前記距離センサの前記検出結果に基づいて、前記Ｘ軸ステージ及び／又は前記Ｙ軸ステージを稼動して補正する請求項３に記載の転角試験装置。
【発明の詳細な説明】
【技術分野】
【０００１】
本発明は、建機を初めとする貨物を搭載する移動体について、転倒に関する評価を行うための転角試験装置に関する。
【背景技術】
【０００２】
フォークリフト等の建機や貨物等を搭載する移動体等においては、当該移動体等の種類に応じて、最大安定傾斜角度（転角）まで当該移動体を傾けても転倒しないという、安全性を備えていることが要求されている。
【０００３】
そのため、当該移動体について、転倒に関する安全性の評価を行う必要があり、こうした評価を行うためには、当該移動体を載置して傾斜させるための傾斜定盤と擬似貨物（擬似負荷）とを用いる転角試験装置が使用されている。
【０００４】
そして、このような試験装置には、例えば、フォークリフトを対象として転角試験を行う特許文献１に記載されたようなものがある。
【０００５】
当該特許文献１に記載された転角試験装置では、傾斜定盤となる傾斜角台上に試験対象となるフォークリフトを静止させた状態で、そのフォークリフトのフォークを荷重発生手段にて下方に牽引して所定の試験荷重を作用させながらその試験荷重を徐々に増加させる一方、その試験荷重作用時におけるフォーク側の荷重作用点と荷重発生手段側の荷重発生点とを結ぶ線が常に鉛直状態となるように保持し、試験荷重の増加に伴ってフォークリフトの後輪が浮き上がった瞬間の試験荷重を転角負荷として検出している。
【先行技術文献】
【特許文献】
【０００６】
【特許文献１】特開平１０−２５０９９号
【発明の概要】
【発明が解決しようとする課題】
【０００７】
しかし、特許文献１に記載されているような傾斜定盤は、一方向にのみ傾斜するものであり、検査対象となる車両（試験車両）の傾斜方向を変更したい場合には、一度当該傾斜定盤から当該試験車両を降ろして、当該試験車両の向きを変えてから再び傾斜定盤に載置する必要が有った。
【０００８】
そのため、このような傾斜定盤では、検査対象の配置換えに手間と時間を要するという課題があった。
【０００９】
また、現在使用されている転角試験装置では、傾斜定盤に試験車両を載置する際には、当該試験車両を荷重発生装置に正確に対面させる必要があるが、自動で位置調整をする事ができなかったため、何度も試験車両を出し入れして適正な位置に当該試験車両を位置決めする必要があった。
【００１０】
さらに、現在使用されている転角試験装置では、傾斜定盤に試験車両を載置したまま、任意の向きに当該傾斜定盤の傾斜方向を変更する事と同時に、当該試験車両が最初に水平面上のどの方向を向いていても、当該試験車両の測定したい側面部のうち荷重を掛けたい箇所に、鉛直方向に擬似荷重をかけ、さらに当該擬似荷重の方向を維持したまま擬似荷重の大きさを変更する事はできなかった。
【００１１】
そこで、本発明は、上記背景技術の問題点に鑑みてなされたものであり、試験車両を載置したまま、任意の向きに傾斜定盤の傾斜方向を変更すると同時に、試験車両が最初に水平面上のどの方向を向いていても擬似荷重負荷をかける事を可能とし、さらに当該擬似荷重負荷の大きさを可変とする事が出来る転角試験装置を提供することを目的とする。
【課題を解決するための手段】
【００１２】
上記課題を解決するために本発明は、下部テーブルと、該下部テーブルの上部に設けられた傾転台と、該傾転台の上部に設けられた上部テーブルと、該上部テーブルの外縁から離隔して設けられた擬似荷重負荷機構とを備える転角試験装置であって、該下部テーブルと該傾転台と該上部テーブルとは何れも回動可能であり、該擬似荷重負荷機構は擬似荷重負荷の方向を鉛直方向に維持したまま、水平方向に移動可能にしたことを特徴とする転角試験装置を提供する。
【００１３】
また、上記課題の解決は、前記擬似荷重負荷機構はＸ軸ステージと、そのＸ軸ステージ上に設けられたＹ軸ステージと、そのＹ軸ステージ上に設けられた減速器付モータと、その減速器付モータの回転軸と試験車両の擬似荷重負荷位置とを接続するケーブルの間にセンサボックスを備えており、該Ｘ軸ステージと該Ｙ軸ステージとは水平面上を相互に直交する方向へ摺動可能であり、該減速器付モータは、その減速器付モータの回転軸と上記試験車両の擬似荷重負荷位置とを接続するケーブルに対し、その減速器付モータの回動によりそのケーブルにかかる張力を変動させて上記擬似荷重負荷を生起し変動させ、上記センサボックスには、傾斜センサとロードセルとが備えられており、その傾斜センサは、前記上部テーブルの傾斜による、上記減速器付モータの回転軸と上記試験車両の擬似荷重負荷位置とを接続するケーブルの方向の鉛直方向からのずれを計測し、上記ロードセルは、上記減速器付モータの回動により上記ケーブルにかかる荷重を計測し、該傾斜センサの計測値に基づいて、上記Ｘ軸ステージと上記Ｙ軸ステージとを摺動させて、上記ケーブルの方向を鉛直方向に制御することによって、更に効果的に達成される。
【００１４】
また、上記課題の解決は、前記Ｘ軸ステージには距離センサが備えられ、該距離センサを該Ｘ軸ステージの移動と共に移動させて適宜作動させることにより、前記試験車両の前記擬似荷重負荷機構に対する向きと距離とを検出し、その検出結果に基づいて、前記上部テーブルを回動させて該試験車両を該擬似荷重負荷機構に対面させることによって、また、前記試験車両を前記擬似荷重負荷機構に対面させた場合に、前記試験車両と前記擬似荷重負荷機構との前後及び／又は左右の位置ズレを、前記距離センサの前記検出結果に基づいて、前記Ｘ軸ステージ及び／又は前記Ｙ軸ステージを稼動して補正することによって、更に効果的に達成される。
【発明の効果】
【００１５】
本発明の転角試験装置によれば、転角試験を行う際に、最初に試験車両が傾斜定盤として機能する上部テーブル上でどの方向を向いていても、自動的に当該試験車両と擬似荷重負荷機構との間の向きと距離とを調整することが可能である。更に、当該試験車両を当該上部テーブル上に載置したまま、任意の向きに当該上部テーブルの傾斜方向を変更することが可能であると同時に、傾斜の大きさに変更があっても、当該擬似荷重負荷の方向を鉛直に保ちながら、当該擬似荷重負荷の大きさも可変とする事が可能である。
【００１６】
その結果、車両の傾斜方向の変更及び擬似荷重負荷の双方を同時に変更することが容易に可能となり、段取り替えの手間が減少し、さらに、当該擬似荷重負荷を用いることにより鉄材などの実際の負荷を不用としている事から、安全性がより確保される。
【図面の簡単な説明】
【００１７】
【図１】本発明の転角試験装置の概要を示す側面図である。
【図２】本発明の転角試験装置の上部テーブル面から上部の概要を示す斜視図である。
【発明を実施するための形態】
【００１８】
図１は本発明の転角試験装置の一実施例の概要を示す側面図であり、図２は本発明の転角試験装置の上部テーブル面から上部の概要を示す斜視図である。
【００１９】
上記本発明の一実施例における転角試験装置には、円形の下部テーブル１００と、該下部テーブル１００の上部に設けられた傾転台２００と、該傾転台２００の上部に設けられた円形の上部テーブル３００と、該上部テーブル３００の外縁から離隔して設けられた擬似荷重負荷機構４００とが備えられている。
【００２０】
ここで、上記下部テーブル１００は円形をしており、その外周には歯車が形成されていて、旋回ベアリング１１０を介して、設置用の支持台５００の上部に設けられている。
【００２１】
また、該支持台５００の上部には、他に、ギヤボックスを備えたサーボモータ１２０が設けられていて、該サーボモータ１２０からの動力は、上記下部テーブル１００の外周に形成された歯車（図示しない）を介して、該下部テーブル１００に伝達できるように構成されている。そして、上記サーボモータ１２０により上記下部テーブル１００の外周を回動させる事で、円形をした該下部テーブル１００の、当該円の中心を軸とした鉛直軸周りに、該下部テーブル１００を回動可能としている。
【００２２】
上記下部テーブル１００の上部には、更に、傾転支持台２５０を介して、傾転台２００が設けられている。該傾転台２００は、水平に配設された円形をしたベース２１０の下部に、補強板２８０を介して、半月状に分割した主スプロケット２６０が、当該半月状を構成する弦の部分で、当該補強板２８０の下部水平面に垂直に取り付けられており、該半月状のスプロケット２６０を構成する弦の中点部分は該傾転支持台２５０と、傾転軸２５５において、回動可能に接続されている。更に、上記下部テーブル１００の上部には、他に、ギヤボックスを備えたサーボモータ２２０が設けてあり、上記傾転支持台２５０の内部に設けられた、２つの補助スプロケット２７０の間に設けたローラーチェーン（図示しない）を駆動可能としており、該ローラーチェーンは、該主スプロケット２６０の外周に当接している。そのため、上記傾転台２００では、上記サーボモータ２２０を駆動する事により、上記２つの補助スプロケット２７０の間に設けた当該ローラーチェーンが回動し、これにより主スプロケット２６０を回動させる事で、該ベース２１０を、上記傾転軸２５５を中心として、任意の角度で傾斜させる事が可能である。
【００２３】
上記傾転台２００のべース２１０の上部には、周囲にギア溝を有する回転板３５０と、円形形状の上部テーブル３００とが設けられている。上記回転板３５０は、鉛直軸を中心として回動可能な回転軸３６０を介して上記ベース２１０に接続されており、上記上部テーブル３００とは該回転軸３６０と同軸の接続軸３７０により固定して接続されている。また、上記テーブル３００は、更に、上記傾転台２００のベース２１０の上部に設けられた旋回ベアリング３１０により回動可能に支持されており、該ベース２１０の上部で、上記回転軸３６０を中心として、上記回転板３５０と共に回動可能となっている。また、上記ベース２１０には、更に、ギヤボックスを備えたサーボモータ３２０が設けられており、該サーボモータ３２０のギヤボックスからのギヤ３２５は、上記回転板３５０の周囲に設けられた歯車と噛合している。そのため、上記上部テーブル３００は、上記サーボモータ３２０を駆動する事により、該サーボモータ３２０からの動力が上記ギヤボックスを介して回転板３５０に伝達され、これにより回転板３５０が回動し、これに伴い接続軸３７０を介して当該回転板３５０と接続された該上部テーブル３００を回動させる事が可能である。なお、該上部テーブル３００は、試験車両を載置する関係上床面と同一の高さになるように設置される。そのため、該上部テーブル３００から下部にある、傾転台２００や下部テーブル１００などの本発明の構成要素は床面から下部に設置される。
【００２４】
また、上記上部テーブル３００の上面の外周から離間した位置の床面には、上記擬似荷重負荷機構４００が配設されている。なお、ここでいう離間した位置とは、上記擬似荷重負荷機構と試験車両の擬似荷重負荷位置との間に、後述する擬似荷重負荷ケーブル４２４を鉛直に接続するために適当な距離を置いた位置を言う。
【００２５】
上記擬似荷重負荷機構４００は、支持台６００と該支持台６００の上部に配設されたＸ軸ステージ４５０と該Ｘ軸ステージ４５０の上部に配設されたＹ軸ステージ４６０及び、該Ｙ軸ステージ４６０の上部に配設された減速器付モータ４２０と、該減速器付モータの回転軸４２２と試験車両の擬似荷重負荷位置とを接続するケーブル４２４との間に配設するセンサボックス４７０とを備えている。
【００２６】
上記擬似荷重負荷機構４００のうち、支持台６００は上記上部テーブル３００の外縁から離間した位置の床面に固定されるが、本発明を利用して発生させたい擬似荷重負荷の上限が、該擬似荷重負荷機構４００の全体重量より軽量の場合には、該床面に該上部テーブル３００の中心から離れる方向にレール６５５を設けて、当該レール６５５上を該支持台６００が移動可能な構成とする事も可能である。
【００２７】
また、上記Ｘ軸ステージ４５０は、上述のように、上記支持台６００の上部に配設されているが、該支持台６００と該Ｘ軸ステージ４５０との間には、２本のレール４５５が、上記上部テーブル３００が構成する円の接線方向と平行に、相互に平行に敷設されている。そして、該Ｘ軸ステージ４５０には図示しない駆動機構が設けられており、該レール４５５に沿って、上下方向の移動を制約された上で、該上部テーブル３００が構成する円の接線方向と平行に移動が可能である。
【００２８】
更に、当該Ｘ軸ステージ４５０のうち上記上部テーブル３００の側の末端には、支持フレームを介して距離センサ４５８が設けてある。当該距離センサ４５８は当該Ｘ軸ステージ４５０の移動に伴って移動することが可能であり、上記上部テーブル３００が構成する円の接線方向と平行な線上の少なくとも２点において、又は、当該線上において連続して、当該Ｘ軸ステージ４５０の末端と試験車両との距離を測定することが可能である。その結果、上記距離センサ４５８を用いて、本発明の擬似荷重負荷機構４００に対して、試験車両の正面又は側面がどのような距離にあり、かつ、どのような方向を向いているのかを把握する事が可能である。
【００２９】
また、上記Ｙ軸ステージ４６０は、上述のように、上記Ｘ軸ステージ４５０の上部に配設されているが、該Ｘ軸ステージ４５０と該Ｙ軸ステージ４６０との間には、２本のレール４６５が、上記上部テーブル３００が構成する円の中心方向から離れる方向に、相互に平行に敷設されている。そして、該Ｙ軸ステージ４６０には図示しない駆動機構が設けられており、該レール４６５に沿って、上下方向の移動を制約された上で、該上部テーブル３００が構成する円の中心方向から離れる方向を前後に移動が可能である。
【００３０】
また、上記Ｙ軸ステージ上４６０に配設されている上記減速機付サーボモータ４２０は、該減速機付サーボモータ４２０の回転軸４２２の周囲にケーブル４２４が巻き付けてあり、該ケーブル４２４の他端は、試験車両の擬似荷重負荷位置に接続される。そして、該ケーブル４２４の途中にはセンサボックス４７０が取り付けられており、該センサボックス４７０には、傾斜センサ（図示しない）とロードセル（図示しない）とが設けられている。そして、上記傾斜センサでは、該ケーブル４２４の鉛直方向からの傾斜が、上記Ｘ軸ステージ４５０の移動方向に平行な成分と、上記Ｙ軸ステージ４６０の移動方向に平行な成分とで検出され、上記ロードセルでは、上記減速機付サーボモータ４２０の回転により、上記ケーブル４２４にかかる張力に基づいて擬似荷重負荷の大きさが計測される。
【００３１】
以上のように構成される上記本発明の転角試験装置の一実施例では、例えば、次のように、試験車両の傾斜角度を一定にしてから擬似荷重負荷の大きさを変更して、当該傾斜角度での最大安定荷重を計測する事や、擬似荷重負荷を一定の大きさに保ったまま傾斜角度を変更して、当該擬似荷重負荷での最大安定傾斜角度を計測する事が可能である。
【００３２】
まず、上記いずれの計測を行うかに関わらず、試験車両を上記上部テーブル３００上に移動して載置する。この際、当該試験車両は当該上部テーブル３００のいずれの方向から、当該上部テーブル３００上に移動して載置しても構わない。
【００３３】
本発明の一実施例では、フォークリフトＦを試験車両としており、ここで、当該フォークリフトＦのフォークＴに荷重が掛かった場合の転角を測定したい場合には、当該フォークＴ部分が上記擬似荷重負荷機構４００に対面するようにする必要がある。そのため、当該上部テーブル３００上に移動して載置した当該フォークリフトＦのフォークＴが、上記擬似荷重負荷機構４００に対面していない場合には、当該上部テーブル３００を回動させて、当該フォークリフトＦのフォークＴが、当該擬似荷重負荷機構４００に対面するように調整を行う。
【００３４】
また、この際には、当該Ｘ軸ステージ４５０に設けられた距離センサ４５８を用いて当該上部テーブル３００の回動の自動調整を行う事も可能である。すなわち、当該Ｘ軸ステージ４５０がレール４５５上の任意の第１の位置にあるときに距離センサを作動させて試験車両との距離を測定し、その後、当該Ｘ軸ステージ４５０をレール４５５上で移動させ、上記第１の位置と異なった第２の位置にあるときに再び距離センサ４５８を作動させて当該試験車両の位置を再度測定する。そうすると、これら２つの異なる位置での測定結果から、当該試験車両の側面又は正面が、当該Ｘ軸ステージ４５０からどのような距離にあり、どのような角度を向いているかが把握可能である。その結果、上記２つの位置での距離センサ４５８の測定結果に基づいて、上部テーブル３００を回動させ、上記試験車両の測定を行いたい側面を本発明の擬似荷重負荷機構４００に対面させることが可能である。なお、距離センサ４５８による測定は、上記のように異なる２つの位置に限らず、上記Ｘ軸ステージ４５０の移動と共に連続して行っても良い。また、上記上部テーブル３００に最初に試験車両を載置した位置によっては、上記第１の位置と第２の位置とが試験車両の角部を跨いでしまう場合のように、当該試験車両の側面の角度を計測できないケースもあり得る。しかし、その場合であっても、一度、試験車両の側面の角度の計測が可能な計測位置まで上記上部テーブル３００を回動させる必要が生じるものの、その計測位置での角度（当該上部テーブル３００の回動角度）と計測した試験車両の側面の角度とから、上記上部テーブル３００を回動すべき角度を算出する事が可能である。
【００３５】
また、上記のように試験車両の側面を上記擬似荷重負荷機構４００に対面する方向に合わせたとしても、試験車両の中心点（試験車両の前側と後側の中心を結ぶ線と左右の側面の中心を結ぶ線とが交わる点）と上記上部テーブル３００の円を形成する中心点とがずれている場合には、当該試験車両と当該擬似荷重負荷機構４００の擬似荷重を発生する側との間で、前後若しくは左右のズレが生ずる場合があり得る。しかし、その場合には、上記Ｘ軸ステージ４５０又はＹステージ４６０、若しくはその双方を稼動することにより補正が可能であり、該Ｙ軸ステージ４６０による稼動では不十分な場合には、上記支持台６００をその下部に設けたレール６５５上で移動させることによってズレを補正することも可能である。
【００３６】
なお、上記のように試験車両を上記上部テーブル３００上に載置する際には、適宜当該試験車両の車輪の下に浮き上がりセンサ（図示しない）を配設し、上記擬似荷重負荷の増大若しくは傾斜角度の増大による車輪の浮き上がりを検知出来るようにしておくと共に、適当な転倒防止手段（図示しない）を講じておく事も必要である。
【００３７】
上記のように、上記フォークリフトＦのフォークＴが、上記擬似荷重負荷機構４００に対面するような調整を終了した後には、次に傾斜方向の調整を行う。上記の例で、上記フォークリフトＦの前後方向の傾斜を測定したい場合には、上記傾転台２００の傾転軸２５５に垂直な方向が上記フォークリフトＦの前後方向と平行になるように、上記下部テーブル１００を回動させる。この際、該下部テーブル１００の回動に併せて該上部テーブル３００の回動を逆方向に行い、該上部テーブル３００に配置された上記フォークリフトＦの方向が変わらないように構成することも可能である。なお、上述の例では、先に上部テーブル３００の回動を行い、後から下部テーブル１００の回動を行ったが、勿論、先に該下部テーブル１００の回動を行い、後から、前述したような上部テーブル３００の回動を行って、上記フォークリフトＦのフォークＴが、上記擬似荷重負荷機構４００に対面するような調整を行っても良い。
【００３８】
また、上記上部テーブル３００や上記下部テーブル１００の制御は、図示しない制御装置により行われるが、該上部テーブル３００の上方からでは、上記傾転台２００のベース２１０の傾斜がどの方向に行われるかが分からない。そのため、本実施例のように、該上部テーブル３００の内周側又は、外周側の床面上に表示灯３８０を複数設けて、該上部テーブル３００の中心を挟んだ直線状にある２つの表示灯３８０を点灯させ、上記傾転台２００の傾転軸２５５に垂直な方向である傾斜方向を表示させる構成とする事も可能である。なお、この場合には、上記表示灯をそれぞれ赤色部分３８０Ｒと青色部分３８０Ｂのような、色彩の異なる２つの光源で構成し、傾転台２００のベース２１０を傾ける場合に、下降する方を赤、上昇する方を青、とするように、該上部テーブル３００の上昇側と下降側とで当該表示灯が表示する色彩を異なるものとしても良い。
【００３９】
上記のように、擬似荷重負荷機構４００に対面してフォークリフトＦの前面を配置した後は、フォークリフトＦのフォークＴに擬似貨物Ｄを載せて、最大揚高までフォークＴを引き上げる。ここで上記擬似貨物Ｄには適当な接続具Ｃを設けておき、当該接続具Ｃに上記擬似荷重負荷ケーブル４２４を接続しておく。そのため、上記擬似貨物Ｄは上記フォークリフトＦに対して、上記擬似荷重負荷機構４００からの荷重を負荷するための媒体となり、該擬似貨物Ｄに設けられた接続具Ｃの部分は、該フォークリフトＦの擬似荷重負荷位置となる。また、該擬似貨物Ｄに該擬似荷重負荷ケーブル４２４を接続する際には、上記減速機付サーボモータ４２０の回転軸４２２は自由に回動が出来るように設定しておき、該擬似荷重負荷ケーブル４２４の引き出しと引き込みとが自由にできるようにしておく。
【００４０】
上記のように、上記上部テーブル３００の上に試験車両であるフォークリフトＦを載置し、上記擬似貨物Ｄを介して上記フォークリフトＦに上記擬似荷重負荷ケーブル４２４を接続した後に、試験車両であるフォークリフトＦの傾斜角度を一定にしてから擬似荷重負荷の大きさを変更して、当該傾斜角度での最大安定荷重を計測する場合には、更に、次のような手順により行う。
【００４１】
まず、上記擬似荷重負荷ケーブル４２４に張力をかけないまま、上記傾転台２００を稼動させて、測定したい角度まで傾ける。この際、該傾転台２００の傾きが増大するにつれて、上記擬似貨物Ｄと上記減速機付サーボモータ４２０の回転軸４２２との間に設けた上記擬似荷重負荷ケーブル４２４の方向が鉛直方向から傾く。しかし、こうした傾きは上記センサボックス４７０内の傾斜計により計測されて、その計測結果に基づいて、適宜、上記Ｘ軸ステージ４５０及び上記Ｙ軸ステージ４６０を稼動させる事で打ち消され、該擬似荷重負荷ケーブル４２４の方向は鉛直方向に維持される。
【００４２】
次に、傾転台２００が測定したい測定角度まで傾いた後には、上記擬似荷重負荷ケーブル４２４に対し、上記減速機付サーボモータ４２０の回転軸４２２に動力を投入し徐々に張力を生じさせ、上記擬似貨物Ｄを介して試験車両であるフォークリフトＦに擬似荷重を負荷する。当該擬似荷重は該減速機付サーボモータ４２０の回転軸４２２に投入されるトルクに応じて、上記擬似荷重負荷ケーブル４２４にかかる張力の増大により増大するが、その大きさは、上記センサボックス４７０に備えられた上記ロードセルにより検出される。
【００４３】
そして、上記擬似荷重負荷機構４００による擬似荷重負荷の増大により、上記試験車両であるフォークリフトＦの車輪に取り付けられた浮き上がりセンサが、車輪の浮き上がりを検知した場合には、直ちに上記減速機付サーボモータ４２０による上記擬似荷重負荷ケーブル４２４に対する張力の負荷の増大を停止し、当該停止した場合の負荷荷重を上記傾斜角度での最大安定荷重とする。こうして測定結果が得られた後は、上記減速機付サーボモータ４２０による該擬似荷重負荷ケーブル４２４への張力の負荷を中止し、上記傾転台２００の傾斜を零に戻すと共に、試験車両に接続した上記擬似貨物Ｄと上記擬似荷重負荷ケーブル４２４とを外して、測定を終了する。
【００４４】
一方、上記のように、上記上部テーブル３００の上に試験車両であるフォークリフトＦを載置し、上記擬似貨物Ｄを介して上記フォークリフトＦに上記擬似荷重負荷ケーブル４２４を接続した後に、荷重を一定の大きさに保ったまま傾斜角度を変更して、当該擬似荷重での最大安定傾斜角度を計測する場合には、更に、次のような手順により行う。
【００４５】
まず、上記傾転台２００を傾斜させない状態で、上記擬似荷重負荷ケーブル４２４に対し、上記減速機付サーボモータ４２０の回転軸４２２に動力を投入し徐々に張力を生じさせ、上記擬似貨物Ｄを介して試験車両であるフォークリフトＦに対し、測定したい大きさの擬似荷重を負荷する。ここで、当該擬似荷重の大きさは、上記のように、該擬似荷重負荷ケーブル４２４に接続したセンサボックス４７０内のロードセルにより検出される。
【００４６】
測定したい大きさの擬似荷重を負荷させたら、次に上記擬似荷重負荷の大きさを維持したまま、上記傾転台２００を傾斜させる。この際、上記のように、該傾転台２００の傾きが増大するにつれて、上記擬似貨物Ｄと上記減速機付サーボモータ４２０の回転軸４２２との間に設けた上記擬似荷重負荷ケーブル４２４の方向が鉛直方向から傾くが、こうした傾きは上記センサボックス４７０内の傾斜計により計測されて、その計測結果に基づいて、適宜、上記Ｘ軸ステージ４５０及び上記Ｙ軸ステージ４６０を稼動させる事で打ち消され、該擬似荷重負荷ケーブル４２４の方向は鉛直方向に維持される。なお、本発明では、上記擬似荷重負荷ケーブル４２４の傾斜が更に増大し、上記X軸ステージ４５０及びY軸ステージ４６０の稼動範囲を超える恐れがある場合には、X軸方向には上記下部テーブル１００を回動させる事によって、また、Y軸方向には上記支持台６００をその下部に設けたレール６５５上で移動させる事によって、上記擬似荷重負荷ケーブル４２４の方向を鉛直方向に維持することも可能である。
【００４７】
そして、上記傾転台２００の傾斜の増大により、上記フォークリフトＦの車輪に取り付けられた浮き上がりセンサが車輪の浮き上がりを検知した場合には、直ちに該傾転台２００による傾斜の増大を停止し、当該停止した際の傾転台２００の傾きを上記擬似荷重での最大安定傾斜角度とする。こうして測定結果が得られた後は、上記減速機付サーボモータ４２０による上記擬似荷重負荷ケーブル４２４への張力の負荷を中止すると共に、上記傾転台２００の傾斜を零に戻し、試験車両に接続した上記擬似貨物Ｄと擬似荷重負荷ケーブル４２４とを外して、測定を終了する。
【００４８】
以上のように、本発明によれば、転角試験を行う際に、最初に試験車両が傾斜定盤として機能する上部テーブル上でどの方向を向いていても、自動的に当該試験車両と擬似荷重負荷機構との間の向きと距離とを調整することが可能である。更に、当該試験車両を当該上部テーブル上に載置したまま、任意の向きに当該上部テーブルの傾斜方向を変更することが可能であると同時に、傾斜の大きさに変更があっても、当該擬似荷重負荷の方向を鉛直に保ちながら、当該擬似荷重負荷の大きさも可変とする事が可能である。
【００４９】
その結果、車両の傾斜方向の変更及び擬似荷重負荷の大きさの双方を同時に変更することが容易に可能となり、段取り替えの手間が減少し、さらに、当該擬似荷重負荷を用いることにより鉄材などの実際の負荷を不用としている事から、安全性がより確保される。
【符号の説明】
【００５０】
１００  下部テーブル
１１０  旋回ベアリング
１２０  サーボモータ
２００  傾転台
２２０  サーボモータ
２５０  傾転支持台
２５５  傾転軸
２６０  主スプロケット
２７０  補助スプロケット
２８０  補強板
３００  上部テーブル
３１０  旋回ベアリング
３２０  サーボモータ
３２５  ギヤ
３５０  回転板
３６０  回転軸
３７０  接続軸
３８０  表示灯
３８０Ｂ  表示灯青色表示部分
３８０Ｒ  表示灯赤色表示部分
４００  擬似荷重負荷機構
４２０  減速機付サーボモータ
４２２  減速機付サーボモータの回転軸
４２４  擬似荷重負荷ケーブル
４５０  Ｘ軸ステージ
４５５  レール
４５８  距離センサ
４６０  Ｙ軸ステージ
４６５  レール
４７０  センサボックス
５００  支持台
６００  支持台
６５５  レール
Ｆ      フォークリフト
Ｔ      フォーク
Ｄ      擬似貨物
Ｃ      接続具
【図１】
2015017890.tif 000003
【図２】
2015017890.tif 000004